(57)【要約】【課題】下水道施設に負担をかけないと共に、微生物分解室等の設備の不要な低コストの生ごみ処理装置を提供する。【解決手段】シンク２の排水口３の下部に管体４が設けられ、管体４は排水管５に接続され、管体４の内部には脱水機構６が設けられている。脱水機構６の下部には生ごみを破砕する刃を備えた破砕装置７が配備され、破砕装置７の下部に破砕した生ごみを収納する収納装置８が設けられており、収納装置８には乾燥機となる送風ブロア９と排気ブロア１０とが設置されている。管体４は排水管路１１と生ごみ移送管路１２とを備え、生ごみ移送管路１２に、生ごみを水切りする脱水機構６としてのフィルター１３とフィルター１３にて分離した排水を排水管路１１に導入する排水弁１４とが設けられている。【選択図】　図１
2004050117.tif 000002
【特許請求の範囲】
【請求項１】
流し台の排水口に備えられ、生ごみを捕獲して水切りを行う脱水機構と、該脱水機構にて捕獲して脱水した生ごみを破砕する破砕装置と、該破砕装置にて破砕した生ごみを収納する収納装置と、該収納装置内の破砕した生ごみ及び生ごみ破砕時に生じる破砕液を乾燥する乾燥機とを備えたことを特徴とする生ごみ処理装置。
【請求項２】
流し台の排水口に設置される管体に、排水を建物の排水管に導く排水管路と、生ごみを移送する生ごみ移送管路とを形成し、該生ごみ移送管路に、生ごみを水切りする脱水機構と、該脱水機構にて分離した排水を前記排水管路に導入する排水弁とを設け、前記生ごみ移送管路に、脱水した生ごみを破砕する破砕装置を接続し、前記排水弁を、前記生ごみから脱水した排水を前記排水路に導くときに前記生ごみ移送管路を閉鎖し、脱水した前記生ごみを前記破砕装置に投下するときに、前記生ごみ移送管路を開くように構成し、前記破砕装置に、破砕後の前記生ごみを収納する収納装置を設けると共に、該収納装置に収納された前記生ごみ及び生ごみ破砕時に生じる破砕液の乾燥を行う乾燥機を設けたことを特徴とする生ごみ処理装置。
【請求項３】
請求項１，請求項２の何れかの生ごみ処理装置において、
前記収納装置は、破砕後の前記生ごみを収納する容器本体と、該容器本体を回転させる回転装置とを備えており、前記容器本体が該回転装置から着脱自在とされていることを特徴とする生ごみ処理装置。
【請求項４】
請求項１，請求項２の何れかの生ごみ処理装置において、
前記収納装置は、収納した生ごみを外部から目視可能な容器本体を有し、該容器本体は排出機構を備えていることを特徴とする生ごみ処理装置。
【発明の詳細な説明】
【０００１】
【発明の属する技術分野】
本発明は、流し台の排水口に設置される生ごみ処理装置に関する。
【０００２】
【従来の技術】
建物の台所等に設けられる流し台のシンクに設けられている生ごみ処理装置としては、特開平７−２４３４９号、特開平８−２６７０４３号に開示されたものが知られている。
【０００３】
特開平７−２４３４９号の生ごみ処理装置は、シンクの排水口に排水管を設け、この排水管の中に、固定式の生ごみの受け籠を配置し、この生ごみ受け籠の底部に鉛直軸を中心に回転可能なカッターを配置し、前記生ごみの受け籠の外周部位に、前記カッターにて裁断した生ごみを受ける脱水筒を鉛直軸を中心に回転可能に配置し、この脱水筒に生ごみフィルターを被せ、排水口に流れた生ごみを受け籠に受け止め、生ごみ受け籠に溜まった生ゴミをカッターで裁断した後に、脱水筒の生ごみフィルターで捕獲し、脱水筒を回転させて脱水する構成とされている。
【０００４】
特開平８−２６７０４３号の生ごみ処理装置は、流し台のシンクの排水口に、排水管を設け、この排水管に至る途中に排水を遮る水切りゲートを開閉可能に設置し、管路の水切りゲートの上部に分岐排水路を形成し、管路の水切りゲートの上部に濾過機構を設け、管路の水切りゲートの下部に生ごみを貯める粉砕室を形成し、粉砕室内に生ごみを切り刻むカッターを設け、切り刻んだ生ごみを微生物分解室に流す搬送管が更に接続されている。
【０００５】
生ごみを受ける場合には水切りゲートで排水管の管路を遮断して、水切りゲートの上に生ごみを受け止めると共に、生ごみに含まれる水を分岐排水路に導いて脱水する。生ごみを脱水したら、水切りゲートを開いて粉砕室に投入し、カッターを回して生ごみを切り刻み、搬送管から微生物分解室に搬送する。
【０００６】
【発明が解決しようとする課題】
しかしながら、特開平７−２４３４９号の生ごみ処理装置では、カッターによって生ごみを切り刻んだ後に生ごみフィルターで捕獲するので、生ごみフィルターがすぐに詰まってしまうと共に、生ごみ中に含まれる液体を絞って排水するので、下水道処理に負担をかけるという問題がある。
【０００７】
また、特開平８−２６７０４３号の生ごみ処理装置の場合には、粉砕室内で生ごみを切り刻んだ後に搬送管を介して微生物分解室に搬送し、微生物分解処理を行うが、微生物担体中に生じる凝縮液など汚れた水を下水管に排水する処理を要すると共に、微生物分解は時間がかかるので、微生物分解室が充満しやすい。
【０００８】
本発明は、このような問題に着目してなされたものであり、下水道施設に負担をかけないと共に、微生物分解室等の設備の不要な低コストの生ごみ処理装置を提供することを目的とする。
【０００９】
【課題を解決するための手段】
上記課題を解決するために、本願の請求項１の生ごみ処理装置は、流し台の排水口に備えられて生ごみの水切りを行う脱水機構と、該脱水機構にて脱水した生ごみを破砕する破砕装置と、該破砕装置にて破砕した生ごみを収納する収納装置と、該収納装置内の破砕した生ごみ及び生ごみ破砕時に生じる破砕液を乾燥する乾燥機とを備えたことを特徴とする。
【００１０】
本願の請求項２の生ごみ処理装置は、流し台の排水口に設置される管体に、排水を排水管に導く排水管路と、生ごみを移送する生ごみ移送管路とを形成し、該生ごみ移送管路に、生ごみを水切りする脱水機構と、該脱水機構にて分離した排水を前記排水管路に導入する排水弁とを設け、前記生ごみ移送管路に、脱水した生ごみを破砕する破砕装置を接続し、前記排水弁を、前記生ごみから脱水した排水を前記排水路に導くときに前記生ごみ移送管路を閉鎖し、脱水した前記生ごみを前記破砕装置に投下するときに、前記生ごみ移送管路を開くように構成し、前記破砕装置に、破砕後の前記生ごみを収納する収納装置を設けると共に、該収納装置に収納された前記生ごみ及び生ごみ破砕時に生じる破砕液の乾燥を行う乾燥機を設けたことを特徴とする。
【００１１】
本願の請求項３の生ごみ処理装置は、請求項１，請求項２の何れかの生ごみ処理装置において、前記収納装置は、破砕後の前記生ごみを収納する容器本体と、該容器本体を回転させる回転装置とを備えており、前記容器本体が該回転装置から着脱自在とされていることを特徴とする。
【００１２】
本願の請求項４の生ごみ処理装置は、請求項１，請求項２の何れかの生ごみ処理装置において、前記収納装置は、収納した生ごみを外部から目視可能な容器本体を有し、該容器本体は排出機構を備えていることを特徴とする。
【００１３】
【発明の実施の形態】
以下、本発明の実施の形態にかかる生ごみ処理装置を図面に基づいて説明する。
【００１４】
図１は本発明の実施の形態にかかる生ごみ処理装置１を流し台のシンク２に取り付けた状態を示す。シンク２の排水口３（図２参照）の下部に管体４が設けられており、管体４は排水管５に接続されている。管体４の内部には図２に示す脱水機構６が設けられている。
【００１５】
脱水機構６の下部には生ごみを破砕する刃を備えた破砕装置７が配備され、破砕装置７の下部に破砕した生ごみを収納する収納装置８が設けられており、収納装置８には乾燥機となる送風ブロア９と排気ブロア１０とが設置されている。
【００１６】
管体４は、図２及び図９に示すように、排水を排水管５に導く排水管路１１と、生ごみを移送する生ごみ移送管路１２とを備えており、生ごみ移送管路１２に、生ごみを水切りする脱水機構６の具体例としてのフィルター１３と、フィルター１３にて分離した排水を排水管路１１に導入する排水弁１４とが設けられている。生ごみ移送管路１２の上部には案内筒１５が着脱可能に設けられている。案内筒１５は保持筒１６に保持され、案内筒１５の下端部は開口され、案内筒１５の開口部の一側縁部にはフィルター１３が揺動可能に保持されている。
【００１７】
すなわち、図２乃至図８に示すように、案内筒１５の開口部の一側縁部には、軸部１３Ｂを保持する軸受け孔１５Ａが設けられており、この軸受け孔１５Ａにフィルター１３の軸部１３Ｂが案内筒１５の開口部を開閉可能に保持されている。また、軸部１３Ｂには断面矩形の回転軸１７に嵌合する軸受け溝１３Ａが軸方向に形成されている。
【００１８】
案内筒１５下端の軸受けと対向する側には管体４から取り出した時にフィルター１３を保持する爪Ｆ２を一端に設けた板バネＦ１が臨んでいる。板バネＦ１はくの字状に形成されており、図５に示すように、案内筒１５の軸受け孔１５Ａの反対側の案内筒１５の側面に、前記くの字状の屈曲部Ｆ５が軸止めされている。板バネＦ１の他端は中央部をＵ字状に打ち抜かれており、内側部分Ｆ３が案内筒１５の側面に接合されている。このため、案内筒１５が保持筒１６から抜き出された状態では板バネＦ１の外側部分Ｆ４が案内筒１５の側面から離れることにより、一端の爪Ｆ２がフィルター１３に係合し、ロックして案内筒１５の開口部を閉鎖する。ロック解除は、図４に示すように、保持筒１６に案内筒１５の差し込みが完了した段階で、板バネＦ１の外側部分Ｆ４が保持筒１６により案内筒１５の側面に押圧されることで爪Ｆ２はフィルター１３から離反し、爪Ｆ２とフィルター１３のロックが解除され、案内筒１５の開口部が開放可能な状態とされる。
【００１９】
尚、フィルター１３の自由端部の上側の縁部には、係合斜面１３Ｃが設けられている。この係合斜面１３Ｃは、案内筒１５の開口部をフィルター１３で閉鎖するときに、爪Ｆ２が板バネＦ１の弾性力によりフィルター１３の係合斜面１３Ｃを乗り越えて、フィルター１３の自由端部の下側に係合して案内筒１５の開口部を封鎖するためのものである。
【００２０】
すなわち、爪Ｆ２は、フィルター１３の自由端部の下側に延びた後フィルター１３に沿って延びるように、Ｌ字型形状を有している。案内筒１５の開口部をフィルター１３で封鎖するために、フィルター１３を水平にするとき、フィルター１３の自由端部は爪Ｆ２を押し除けて回動される。このとき、爪Ｆ２は係合斜面１３Ｃによりフィルター１３の自由端部を乗り越えて、フィルター１３の自由端部の下側に戻るので、フィルター１３が案内筒１５の開口部を封鎖した状態を維持できる。
【００２１】
この実施の形態においては、フィルター１３の軸受け溝１３Ａは、排水弁１４の回転軸１７に嵌合される構造となっており、フィルター１３の下に排水弁１４の傾斜面１４Ａが位置するように、構成されている。排水弁１４は回転軸１７を中心に揺動可能になっている。回転軸１７の両端部は、管体４の側壁部を貫通している。回転軸１７の一端部であって管体４の側壁から突出している部分には、レバー１８が取り付けられる。レバー１８が回転軸１７に対して回り止めされて取り付けられている。このレバー１８が取り付けられる部位には、弦巻バネＳｐｒ１（図１，図８参照）が装着されている。弦巻バネＳｐｒ１の一端は管体４の側壁の突起Ｓｔｐ１に掛け止められ、弦巻バネＳｐｒ１の他端はレバー１８に掛け止められている。レバー１８は弦巻バネＳｐｒ１により水平に向けられるように付勢されている。回転軸１７の管体４内部の断面は矩形断面とされており、回転軸１７の矩形断面部にフィルター１３の軸受け溝１３Ａが嵌合する。即ち、弦巻バネＳｐｒ１によってレバー１８が水平を向いているので、回転軸１７の矩形断面部にフィルター１３の軸受け溝１３Ａが嵌合可能になり、レバー１８の回転に伴い矩形断面部が回転するので、フィルター１３及び排水弁１４が回転する。
【００２２】
回転軸１７の矩形断面部は排水弁１４の上に配置されるフィルター１３に嵌合しており、弦巻バネＳｐｒ１は水平に保持するように排水弁１４を付勢している。排水弁１４は、前述の弦巻バネによって生ごみから脱水された排水を排水管路１１に導くときに、生ごみ移送管路１２を閉鎖し、脱水した生ごみを破砕装置７に投下するときに、生ごみ移送管路１２を開くように構成されている。管体４の外側には回転軸１７に固定されたレバー１８が設けられており、レバー１８を下方に回すことによって、排水弁１４及びフィルター１３は生ごみ移送管路１２内に生ごみを投下する。この実施の形態ではレバー１８を手で回すようにしているが、モーターやエアシリンダ等のアクチュエータで回転させるように構成し、流し台の側壁等に当該アクチュエータを駆動する電源ボタンを設けても良い。
【００２３】
排水弁１４の下端部１４Ａは、生ごみ移送管路１２から排水管路１１に分岐する開口縁部１９に掛け止められるように、曲げられている。排水弁１４の左右側縁部２０は、案内筒１５の下端縁部及び保持筒１６の下端縁部の外側に位置して、排水をこぼさないように立ち上げられている。生ごみ移送管路１２と排水管路１１との間には、分岐管路２１が形成されており、排水弁１４の傾斜面１４Ｂに沿って流れた排水を分岐管路２１に導入する。分岐管路２１の仕切壁２２は、揺動する排水弁１４の下端部１４Ａが衝突しないように下端部１４Ａの移動軌跡から離れた緩衝しない位置に形成されている。また、仕切壁２２は排水管路１１から排水が生ごみ移送管路１２に入らない構造となっている。
【００２４】
生ごみ移送管路１２の下方には、脱水した生ごみを破砕する破砕装置７が設けられている。破砕装置７は、図１０〜図１３に示すように、３枚の刃２３〜２５により構成されている。最下層に配置される刃２３は円筒形を有しており、円筒形の底部が刃２３とされている。刃２３には、開口部２３Ａが八ヶ所形成されている。隣り合う開口部２３Ａ同士の間には、基部２３Ｂが設けられ、基部２３Ｂには刃先２３Ｃ、２３Ｄが複数個形成されている。刃２３の周囲は刃２４，２５を案内する筒部とされている。刃２３の中央部には回転軸２６を通す軸孔２７が開口されている。
【００２５】
刃２３の上には刃２４が配設される。刃２４の裏面には刃先２３Ｃ、２３Ｄを通過させる溝２４Ａが形成されている。図１２に示すように、刃２４にも刃２３と同様に開口部２４Ｂが八ヶ所形成されている。隣り合う開口部２４Ｂ同士の間には、基部２４Ｃが設けられ、基部２４Ｃには刃先２４Ｄが形成されている。刃２４の中央部には回転軸２６を通す軸孔２９が開口されている。尚、刃２４の裏面側には、回転軸２６に形成された矩形の頭部２６Ａが嵌合する嵌合凹部２９Ａが形成されている。
【００２６】
刃２４の上には刃２５が配設される。刃２５の裏面には刃先２４Ｄを通過させる溝２５Ａ（図１０参照）が形成されている。図１３に示すように、刃２５にも刃２３、２４と同様に開口部２５Ｂが八ヶ所形成されている。隣り合う開口部２５Ｂ同士の間には、基部２５Ｃが設けられている。刃２５の中央部には回転軸３０の矩形の頭部３０Ａが嵌合する嵌合開口部３０Ｂが形成されている。回転軸３０は、回転軸２６の内部に通されており、回転軸２６の回転と異なった回転速度で回転可能とされている。回転軸２６，３０の回転駆動力はギア機構を介してモーター３１（図１参照）から供給される。
【００２７】
収納装置８は、破砕後の生ごみを収納する容器本体３２と、容器本体３２を回転させる回転装置３３と、容器本体３２に空気を導入するための導入筒部３４とを備えており、容器本体３２は導入筒部３４に対して着脱自在とされている。
【００２８】
収納装置８の容器本体３２は、外部から収納した生ごみを目視可能な透明部材（例えばプラスチック）で構成され、容器本体３２内部に投下された生ごみを攪拌しうるように六角形状を有している。容器本体３２の口部には円筒状の取付部３５が取り付けられており、取付部３５の内壁に溝３６が形成されている。溝３６は、導入筒部３４の外周面に保持されたベアリング３７を保持する。ベアリング３７は、導入筒部３４の外周面から外側に向かって弾性付勢されて保持されており、容器本体３２の取付部３５を導入筒部３４に装着するときに、一旦導入筒部３４の外周面から沈み込んだ後、元の位置に復帰して取付部３５の溝３６に入り込み、容器本体３２を保持する。
【００２９】
導入筒部３４の外周部には送風ブロア９と排気ブロア１０とが取り付けられており、導入筒部３４の内部と送風ブロア９及び排気ブロア１０は送風排気可能に接続されている。送風ブロア９から導入筒部３４に導入された空気は、容器本体３２内部に入り込んで攪拌された破砕済みの生ごみを乾燥させ、排気ブロア１０から排気される。なお、排気ブロア１０の排気を排気管５に導入するように接続しても良い。
【００３０】
容器本体３２は、容器本体３２の外周形状に嵌合可能な筒体形状のベース３８に支持される。ベース３８は例えばスプリングやゴムなどの弾性体３９を介して支持板４０に支持されている。支持板４０には図１のモーター４１の回転を減速して伝える回転軸４２が回り止めされて保持される。支持板４０及び容器本体３２の回転中心線は鉛直軸に対して傾斜しているので、容器本体３２を回転させると容器本体３２内部の生ごみが攪拌され、上部の生ごみと下部の生ごみが入り交じることとなり、均一な乾燥が可能となる。なお、容器本体３２に外部に排出する排出口及び蓋を設けて排出機構として設けても良い。
【００３１】
【発明の効果】
本願にかかる生ごみ処理装置によれば、生ごみと破砕液とを下水道に流さないので、下水道施設に負担をかけないと共に、乾燥処理を行うので、腐敗しにくく減量化処理が出来、微生物分解室等の設備が不要であるので、低コストである。
【図面の簡単な説明】
【図１】本発明の実施の形態にかかる生ごみ処理装置の概略構成を示す図。
【図２】本発明の実施の形態にかかる生ごみ処理装置の管体の構成を示す断面図。
【図３】図２の案内筒及びフィルターの取付状態を示す断面図。
【図４】図２のフィルター及び排水弁を傾けた状態の断面図。
【図５】案内筒の側壁に取り付けられる爪の斜視図。
【図６】フィルター及び回転軸並びにレバーの組合せ状態を示す説明図。
【図７】排水弁の断面図。
【図８】排水弁とレバーの取付状態を示す側面図。
【図９】図２の管体の平面図。
【図１０】図１の破砕装置の構成を示す断面図。
【図１１】図１０の破砕装置の最下層に設けられる刃の平面図
【図１２】図１０の破砕装置の中層に設けられる刃の平面図
【図１３】図１０の破砕装置の上層に設けられる刃の平面図
【図１４】図１の収納装置の容器本体の平面図。
【図１５】図１４の収納装置の断面図。
【符号の説明】
２　流し台のシンク
４　管体
５　排水管
６　脱水機構
７　破砕装置
８　収納装置
９　送風ブロア
１０　排気ブロア
１１　排水管路
１２　生ごみ移送管路
１３　フィルター
２３〜２５　刃
３１　モーター
３２　容器本体
【図１】
2004050117.tif 000003
【図２】
2004050117.tif 000004
【図３】
2004050117.tif 000005
【図４】
2004050117.tif 000006
【図５】
2004050117.tif 000007
【図６】
2004050117.tif 000008
【図７】
2004050117.tif 000009
【図８】
2004050117.tif 000010
【図９】
2004050117.tif 000011
【図１０】
2004050117.tif 000012
【図１１】
2004050117.tif 000013
【図１２】
2004050117.tif 000014
【図１３】
2004050117.tif 000015
【図１４】
2004050117.tif 000016
【図１５】
2004050117.tif 000017